(57)【要約】【課題】  デジタルコンテンツをその送信先に対応する形式に変換する場合でも、そのデジタルコンテンツと一体化されている著作権管理情報を維持することが可能な著作権管理装置を提供する。【解決手段】  著作権管理装置９は、通信部９１と、制御部９２と、ＲＡＭ９３とを備える。制御部９２は、携帯電話機１宛に送信されてきたデジタルコンテンツを通信部９１を介して受信し、受信したデジタルコンテンツが携帯電話機１に対応した形式のものか否かを判定し、デジタルコンテンツが携帯電話機１に対応した形式のものでない場合に、デジタルコンテンツに付加されている著作権管理情報を抽出してＲＡＭ９３に記憶し、著作権管理情報を保持する。その後、デジタルコンテンツをコンテンツ変換サーバ８で変換してもらい、変換後のデジタルコンテンツに、保持している著作権管理情報を付加し、著作権管理情報を付加したデジタルコンテンツを携帯電話機１に通信部９１を介して送信する。【選択図】  図１
2005222381.tif 000002
【特許請求の範囲】
【請求項１】
携帯端末装置宛に送信されてきたデジタルコンテンツを受信する受信手段と、
前記デジタルコンテンツの前記携帯端末装置に対応した形式への変換が必要か否かを判定する判定手段と、
前記変換が必要である場合に、前記デジタルコンテンツと一体になっている前記デジタルコンテンツの著作権管理を行うための著作権管理情報を保持する保持手段と、
前記携帯端末装置に対応した形式に変換後の前記デジタルコンテンツを取得する取得手段と、
前記変換後のデジタルコンテンツと前記保持された著作権管理情報とを一体にする一体化手段と、
前記著作権情報と一体になった前記変換後のデジタルコンテンツを前記携帯端末装置宛に送信する送信手段とを備える著作権管理装置。
【請求項２】
請求項１記載の著作権管理装置であって、
前記著作権管理情報は、前記受信されたデジタルコンテンツの転送制限を行うための転送制限情報を含み、
前記転送制限情報に基づいて、前記デジタルコンテンツの送信が可能か否かを判定する送信可否判定手段を備え、
前記送信手段は、前記デジタルコンテンツの送信が可能な場合にのみ、前記送信を行うものである著作権管理装置。
【請求項３】
請求項２記載の著作権管理装置であって、
前記転送制限情報は、前記デジタルコンテンツの転送可能回数を指定する転送可能回数指定情報を含み、
前記転送可能回数指定情報を、前記転送可能回数指定情報で指定される転送可能回数を減少させた転送可能回数指定情報に更新する更新手段を備える著作権管理装置。
【請求項４】
請求項１〜３のいずれか記載の著作権管理装置であって、
前記著作権管理情報は、前記受信されたデジタルコンテンツの利用料金を示す利用料金情報を含み、
前記利用料金情報に基づいて、前記デジタルコンテンツの利用料金を課金するための課金情報を生成する課金情報生成手段と、
前記課金情報を記憶する記憶手段とを備える著作権管理装置。
【請求項５】
請求項１〜４のいずれか記載の著作権管理装置であって、
前記著作権管理情報は、前記デジタルコンテンツのヘッダに付加されているものであり、
前記一体化手段は、前記著作権管理情報を前記デジタルコンテンツのヘッダに付加するものである著作権管理装置。
【請求項６】
請求項１〜４のいずれか記載の著作権管理装置であって、
前記著作権管理情報は、前記デジタルコンテンツのデータ本体に埋め込まれているものであり、
前記一体化手段は、前記著作権管理情報を前記デジタルコンテンツのデータ本体に埋め込むものである著作権管理装置。
【請求項７】
携帯端末装置宛に送信されてきたデジタルコンテンツを受信する受信ステップと、
前記デジタルコンテンツの前記携帯端末装置に対応した形式への変換が必要か否かを判定する判定ステップと、
前記変換が必要である場合に、前記デジタルコンテンツと一体になっている前記デジタルコンテンツの著作権管理を行うための著作権管理情報を保持する保持ステップと、
前記携帯端末装置に対応した形式に変換された後の前記デジタルコンテンツを取得する取得ステップと、
前記変換後のデジタルコンテンツと前記保持された著作権管理情報とを一体にする一体化ステップと、
前記著作権情報と一体になった前記変換後のデジタルコンテンツを前記携帯端末装置宛に送信する送信ステップとを備える著作権管理方法。
【請求項８】
請求項７記載の著作権管理方法であって、
前記著作権管理情報は、前記受信されたデジタルコンテンツの転送制限を行うための転送制限情報を含み、
前記転送制限情報に基づいて、前記デジタルコンテンツの送信が可能か否かを判定する送信可否判定ステップを備え、
前記送信ステップは、前記デジタルコンテンツの送信が可能な場合に、前記送信を行うものである著作権管理方法。
【請求項９】
請求項８記載の著作権管理方法であって、
前記転送制限情報は、前記デジタルコンテンツの転送可能回数を指定する転送可能回数指定情報を含み、
前記転送可能回数指定情報を、前記転送可能回数指定情報で指定される転送可能回数を減少させた転送可能回数指定情報転送に更新する更新ステップを備える著作権管理方法。
【請求項１０】
請求項７〜９のいずれか記載の著作権管理方法であって、
前記著作権管理情報は、前記受信されたデジタルコンテンツの利用料金を示す利用料金情報を含み、
前記利用料金情報に基づいて、前記デジタルコンテンツの利用料金を前記携帯端末装置の所持者に対して課金するための課金情報を生成する課金情報生成ステップと、
前記課金情報を記憶する記憶ステップとを備える著作権管理方法。
【請求項１１】
請求項７〜１０のいずれか記載の著作権管理方法であって、
前記著作権管理情報は、前記デジタルコンテンツのヘッダに付加されているものであり、
前記一体化ステップは、前記著作権管理情報を前記デジタルコンテンツのヘッダに付加するものである著作権管理方法。
【請求項１２】
請求項７〜１０のいずれか記載の著作権管理方法であって、
前記著作権管理情報は、前記デジタルコンテンツのデータ本体に埋め込まれているものであり、
前記一体化ステップは、前記著作権管理情報を前記デジタルコンテンツのデータ本体に埋め込むものである著作権管理方法。
【請求項１３】
コンピュータを、請求項１〜６のいずれか記載の著作権管理装置として機能させるための著作権管理プログラム。
【発明の詳細な説明】
【技術分野】
【０００１】
本発明は、デジタルコンテンツの著作権管理を行う著作権管理装置に関する。
【背景技術】
【０００２】
音声データや画像データ等を含むデジタルコンテンツは、配布が容易で劣化も無く、特に移動体端末への配信により、場所や時間を選ばずに楽しめるというメリットがある。一方で、このようなデジタルコンテンツは、複製物の大量配信が容易である為、優れた著作権管理（ＤＲＭ：Digital Rights Management）が必須となる。
【０００３】
従来、デジタルコンテンツを配信する装置が、端末装置により要求されたデジタルコンテンツにその転送を制限するための識別子を付加し、そのデジタルコンテンツを端末装置に送信し、端末装置側でこの識別子に基づいてデジタルコンテンツの転送を禁止したり、可能としたりするシステムが知られている（例えば、特許文献１参照）。
【０００４】
又、現在の移動体通信ネットワークにおけるキャリア主導の著作権管理としては、配信するデジタルコンテンツのヘッダに、そのデジタルコンテンツの転送を制限するための識別子を付加しておくことで、そのデジタルコンテンツの転送を禁止したり、可能としたりするといったことが行われている。
【０００５】
又、携帯電話機のような移動体端末は、多数の機種が存在し、再生可能なデジタルコンテンツの形式が機種毎に異なっている。例えば、ある機種はＪＰＥＧ形式とＰＮＧ形式の画像を再生できるが、ある機種はＰＮＧ形式の画像しか再生できないといった具合である。又、機種毎にデジタルコンテンツの再生能力（画像表示能力等）も異なる。このため、携帯電話機宛にデジタルコンテンツを送信する際に、そのデジタルコンテンツを、送信先の携帯電話機の機種に対応した形式のデジタルコンテンツに変換してから送信するといったことが従来行われている。
【０００６】
【特許文献１】特開２００２−２２３４７６号公報
【発明の開示】
【発明が解決しようとする課題】
【０００７】
しかしながら、上記従来のように、デジタルコンテンツを変換してから送信先に送信するような場合、例えば、ＪＰＥＧ形式のデジタルコンテンツをＰＮＧ形式に変換してしまうと、ＪＰＥＧ形式のデジタルコンテンツのヘッダに記載されていた転送制限等を行うための識別子は、ＰＮＧ形式のデジタルコンテンツのヘッダには引き継がれない。このため、デジタルコンテンツの変換を行った際に著作権管理を行うための著作権管理情報が破棄されてしまい、そのデジタルコンテンツについては、著作権管理ができなくなってしまうという不具合が発生する。
【０００８】
本発明は、上記事情に鑑みてなされたものであり、デジタルコンテンツをその送信先に対応する形式に変換する場合でも、そのデジタルコンテンツと一体化されている著作権管理情報を維持することが可能な著作権管理装置を提供することを目的とする。
【課題を解決するための手段】
【０００９】
本発明の著作権管理装置は、携帯端末装置宛に送信されてきたデジタルコンテンツを受信する受信手段と、前記デジタルコンテンツの前記携帯端末装置に対応した形式への変換が必要か否かを判定する判定手段と、前記変換が必要である場合に、前記デジタルコンテンツと一体になっている前記デジタルコンテンツの著作権管理を行うための著作権管理情報を保持する保持手段と、前記携帯端末装置に対応した形式に変換後の前記デジタルコンテンツを取得する取得手段と、前記変換後のデジタルコンテンツと前記保持された著作権管理情報とを一体にする一体化手段と、前記著作権情報と一体になった前記変換後のデジタルコンテンツを前記携帯端末装置宛に送信する送信手段とを備える。
【００１０】
この構成により、携帯端末装置宛に送信されるデジタルコンテンツの形式の変換が必要な場合、変換前のデジタルコンテンツと一体となっている著作権管理情報が一旦保持され、変換後のデジタルコンテンツと一体になる。このため、デジタルコンテンツの形式が変換された場合でも、そのデジタルコンテンツと一体となっている著作権管理情報が破棄されてしまうといった不具合をなくすことができ、著作権管理を継続して行うことが可能となる。
【００１１】
又、本発明の著作権管理装置は、前記著作権管理情報が、前記受信されたデジタルコンテンツの転送制限を行うための転送制限情報を含み、前記転送制限情報に基づいて、前記デジタルコンテンツの送信が可能か否かを判定する送信可否判定手段を備え、前記送信手段が、前記デジタルコンテンツの送信が可能な場合にのみ、前記送信を行うものである。
【００１２】
この構成により、デジタルコンテンツの転送制限を行うことができる。又、デジタルコンテンツの送信が可能でない場合には、形式判定手段、抽出手段、付加手段、及び送信手段を動作させる必要がないため、著作権管理装置内の処理効率を向上させることができる。又、デジタルコンテンツの形式変換を行う装置等における負荷も軽減することができる。
【００１３】
又、本発明の著作権管理装置は、前記転送制限情報が、前記デジタルコンテンツの転送可能回数を指定する転送可能回数指定情報を含み、前記転送可能回数指定情報を、前記転送可能回数指定情報で指定される転送可能回数を減少させた転送可能回数指定情報に更新する更新手段を備える。
【００１４】
この構成により、デジタルコンテンツの転送制限を行うことができる。
【００１５】
又、本発明の著作権管理装置は、前記著作権管理情報が、前記受信されたデジタルコンテンツの利用料金を示す利用料金情報を含み、前記利用料金情報に基づいて、前記デジタルコンテンツの利用料金を課金するための課金情報を生成する課金情報生成手段と、前記課金情報を記憶する記憶手段とを備える。
【００１６】
この構成により、デジタルコンテンツの利用料金をそのデジタルコンテンツの送信先等に対して課金することができる。
【００１７】
又、本発明の著作権管理装置は、前記著作権管理情報が、前記デジタルコンテンツのヘッダに付加されているものであり、前記一体化手段が、前記著作権管理情報を前記デジタルコンテンツのヘッダに付加するものである。
【００１８】
又、本発明の著作権管理装置は、前記著作権管理情報が、前記デジタルコンテンツのデータ本体に埋め込まれているものであり、前記一体化手段が、前記著作権管理情報を前記デジタルコンテンツのデータ本体に埋め込むものである。
【００１９】
本発明の著作権管理方法は、携帯端末装置宛に送信されてきたデジタルコンテンツを受信する受信ステップと、前記デジタルコンテンツの前記携帯端末装置に対応した形式への変換が必要か否かを判定する判定ステップと、前記変換が必要である場合に、前記デジタルコンテンツと一体になっている前記デジタルコンテンツの著作権管理を行うための著作権管理情報を保持する保持ステップと、前記携帯端末装置に対応した形式に変換された後の前記デジタルコンテンツを取得する取得ステップと、前記変換後のデジタルコンテンツと前記保持された著作権管理情報とを一体にする一体化ステップと、前記著作権情報と一体になった前記変換後のデジタルコンテンツを前記携帯端末装置宛に送信する送信ステップとを備える。
【００２０】
又、本発明の著作権管理方法は、前記著作権管理情報が、前記受信されたデジタルコンテンツの転送制限を行うための転送制限情報を含み、前記転送制限情報に基づいて、前記デジタルコンテンツの送信が可能か否かを判定する送信可否判定ステップを備え、前記送信ステップが、前記デジタルコンテンツの送信が可能な場合に、前記送信を行うものである。
【００２１】
又、本発明の著作権管理方法は、前記転送制限情報が、前記デジタルコンテンツの転送可能回数を指定する転送可能回数指定情報を含み、前記転送可能回数指定情報を、前記転送可能回数指定情報で指定される転送可能回数を減少させた転送可能回数指定情報転送に更新する更新ステップを備える。
【００２２】
又、本発明の著作権管理方法は、前記著作権管理情報が、前記受信されたデジタルコンテンツの利用料金を示す利用料金情報を含み、前記利用料金情報に基づいて、前記デジタルコンテンツの利用料金を前記携帯端末装置の所持者に対して課金するための課金情報を生成する課金情報生成ステップと、前記課金情報を記憶する記憶ステップとを備える。
【００２３】
又、本発明の著作権管理方法は、前記著作権管理情報が、前記デジタルコンテンツのヘッダに付加されているものであり、前記一体化ステップが、前記著作権管理情報を前記デジタルコンテンツのヘッダに付加するものである。
【００２４】
又、本発明の著作権管理方法は、前記著作権管理情報が、前記デジタルコンテンツのデータ本体に埋め込まれているものであり、前記一体化ステップが、前記著作権管理情報を前記デジタルコンテンツのデータ本体に埋め込むものである。
【００２５】
本発明の著作権管理プログラムは、コンピュータを、前記著作権管理装置として機能させるためのプログラムである。
【発明の効果】
【００２６】
本発明によれば、デジタルコンテンツをその送信先に対応する形式に変換する場合でも、そのデジタルコンテンツと一体化されている著作権管理情報を維持することが可能な著作権管理装置を提供することができる。
【発明を実施するための最良の形態】
【００２７】
図１は、本発明の実施形態を説明するためのデジタルコンテンツ配信システムの概略構成を示す図である。
デジタルコンテンツ配信システム１００は、携帯端末装置の一例として複数の携帯電話機１，２と、携帯電話機１，２の通信エリアである移動体通信網３と、移動体通信網３に接続される電子メールサーバ４と、インターネット７と、移動体通信網３とインターネット７とを接続するゲートウェイ（ＧＷ）サーバ５と、インターネット７に接続されるコンテンツ配信装置６と、インターネット７に接続されるコンテンツ変換サーバ８と、インターネット７に接続される著作権管理装置９とを備える。移動体通信網３はキャリアによって管理される。又、ＧＷサーバ５及び著作権管理装置９もキャリアによって管理・運営される。本実施形態においてデジタルコンテンツとは、画像データや音声データ等のデータ本体とヘッダとを含めたものと定義する。
【００２８】
電子メールサーバ４は、携帯電話機１，２から送信される電子メールを受信し、指定された宛先に送信する制御を行う。電子メールサーバ４から送信される電子メールは、著作権管理装置９を経由してから送信先に送信される。
【００２９】
コンテンツ配信装置６は、インターネット７を介してデジタルコンテンツを配信するＷＥＢサーバであり、コンテンツ配信業者によって管理される。コンテンツ配信装置６で管理されるデジタルコンテンツには、全てＵＲＬ（Uniform Resource Locator）が割り当てられている。コンテンツ配信装置６から配信されるデジタルコンテンツは、著作権管理装置９を経由してから、配信先に配信される。
【００３０】
コンテンツ配信装置６から配信されるデジタルコンテンツには、そのヘッダに、デジタルコンテンツの著作権管理を行うための著作権管理情報が付加されている。著作権管理情報には、デジタルコンテンツの転送制限を行うための転送制限情報及びデジタルコンテンツの利用料金（デジタルコンテンツの１回の配信又は転送についてコンテンツ配信業者に支払うべき料金）を示す利用料金情報等が含まれる。転送制限情報には、デジタルコンテンツの転送が可能か否かを示す転送可否情報と、転送が可能である場合に、その転送可能な回数を指定する転送可能回数指定情報とが含まれる。尚、著作権管理情報は、デジタルコンテンツのヘッダに限らず、デジタルコンテンツのデータ本体に電子透かし技術等により埋め込んだものであっても良い。又、著作権管理の必要のないデジタルコンテンツについては、著作権管理情報を付加せずに配信を行えば良い。
【００３１】
コンテンツ変換サーバ８は、デジタルコンテンツを、そのデジタルコンテンツの送信先の携帯電話機の機種に対応した形式のデジタルコンテンツに変換する。例えば、デジタルコンテンツが画像データであった場合、画像データの形式（ＪＰＥＧやＰＮＧ等）やサイズを送信先に応じて変換する。
【００３２】
著作権管理装置９は、通信部９１と、制御部９２と、ＲＡＭ９３と、課金情報記憶部９４と、ＲＯＭ９５と、端末情報データベース（ＤＢ）９６とを備える。課金情報記憶部９４及び端末情報ＤＢ９６は、著作権管理装置９からアクセス可能な外部のサーバ内にあっても良い。
【００３３】
通信部９１は、インターネット７を介してコンテンツ配信装置６、ＧＷサーバ５、及びコンテンツ変換サーバ８等と通信を行う。
【００３４】
制御部９２は、ＲＯＭ９５に記憶されている著作権管理プログラムによって動作するプロセッサを主体に構成され、著作権管理装置９全体を統括制御する。
【００３５】
ＲＡＭ９３は、デジタルコンテンツの著作権管理情報を一時的に記憶する。
【００３６】
課金情報記憶部９４は、デジタルコンテンツの利用（配信又は転送）に対して、その利用者に利用料金を課金するための課金情報が記憶される。
【００３７】
ＲＯＭ９５は、著作権管理プログラムを記憶する。
【００３８】
端末情報ＤＢ９６は、複数の携帯電話機１，２の機種情報（ＩＤ、表示画面サイズ、再生可能なデジタルコンテンツの形式等）が登録されている。
【００３９】
以下、デジタルコンテンツ配信システム１００の動作について説明する。
デジタルコンテンツ配信システム１００の著作権管理装置９は、受信する情報の送信元に応じて、以下に説明するように２パターンの動作を行う。
【００４０】
図２は、本発明の実施形態を説明するためのデジタルコンテンツ配信システム１００において、コンテンツ配信装置６から携帯電話機１宛にデジタルコンテンツが配信される際の動作フローを示す図である。
著作権管理装置９の制御部９２は、コンテンツ配信装置６から携帯電話機１宛に送信されるデジタルコンテンツを通信部９１を介して受信すると（Ｓ２０１）、そのデジタルコンテンツのヘッダに著作権管理情報が付加されているか否かを判定する（Ｓ２０２）。デジタルコンテンツのヘッダに著作権管理情報が付加されていた場合（Ｓ２０２：ＹＥＳ）、制御部９２はＳ２０３に処理を移行する。デジタルコンテンツのヘッダに著作権管理情報が付加されていなかった場合（Ｓ２０２：ＮＯ）、制御部９２はＳ２１５に処理を移行する。
【００４１】
Ｓ２１５では、受信したデジタルコンテンツと、端末情報ＤＢ９６に登録されている携帯電話機１の機種情報とに基づき、受信したデジタルコンテンツの携帯電話機１に対応した形式への変換が必要か否かを判定する。制御部９２は、受信したデジタルコンテンツの形式と、携帯電話機１で再生可能なデジタルコンテンツの形式とが一致しており、変換が不要であると判定した場合（Ｓ２１５：ＮＯ）、受信したデジタルコンテンツを携帯電話機１に対し、通信部９１を介して送信する（Ｓ２１９）。制御部９２は、受信したデジタルコンテンツの形式と、携帯電話機１で再生可能なデジタルコンテンツの形式とが一致しておらず、変換が必要であると判定した場合（Ｓ２１５：ＹＥＳ）、受信したデジタルコンテンツをコンテンツ変換サーバ８に対し、通信部９１を介して送信する（Ｓ２１６）。コンテンツ変換サーバ８でデジタルコンテンツの変換が行われると、制御部９２は、変換後のデジタルコンテンツをコンテンツ変換サーバ８から通信部９１を介して受信する（Ｓ２１７）。制御部９２は、受信した変換後のデジタルコンテンツを携帯電話機１に対し、通信部９１を介して送信する（Ｓ２１８）。
【００４２】
Ｓ２０３では、受信したデジタルコンテンツと、端末情報ＤＢ９６に登録されている携帯電話機１の機種情報とに基づき、受信したデジタルコンテンツの携帯電話機１に対応した形式への変換が必要か否かを判定する。制御部９２は、受信したデジタルコンテンツの形式と、携帯電話機１で再生可能なデジタルコンテンツの形式とが一致しており、変換が不要であると判定した場合（Ｓ２０３：ＮＯ）、受信したデジタルコンテンツのヘッダから著作権管理情報を抽出し（Ｓ２１１）、抽出した著作権管理情報に利用料金情報が含まれているか否かを判定する（Ｓ２１２）。利用料金情報が含まれていた場合（Ｓ２１２：ＹＥＳ）、制御部９２は、デジタルコンテンツの配信にかかる利用料金を携帯電話機１のユーザに対して課金するための課金情報を利用料金情報に基づいて生成し、課金情報記憶部９４に記憶する（Ｓ２１３）。記憶後、制御部９２は、Ｓ２０１で受信したデジタルコンテンツを携帯電話機１に対し、通信部９１を介して送信する（Ｓ２１４）。
【００４３】
Ｓ２０３の判定において、制御部９２は、受信したデジタルコンテンツの形式と、携帯電話機１で再生可能なデジタルコンテンツの形式とが一致しておらず、変換が必要であると判定した場合（Ｓ２０３：ＹＥＳ）、デジタルコンテンツのヘッダから著作権管理情報を抽出してＲＡＭ９３に一時的に記憶し、著作権管理情報を保持する（Ｓ２０４）。このとき制御部９２は、保持した著作権管理情報と、その著作権管理情報が付加されていたデジタルコンテンツとの対応がとれるようにしておく。例えば、デジタルコンテンツの名称等のＩＤと著作権管理情報とを対応付けて保持しておく。制御部９２は、抽出した著作権管理情報に利用料金情報が含まれているか否かを判定する（Ｓ２０５）。利用料金情報が含まれていた場合（Ｓ２０５：ＹＥＳ）、制御部９２は、デジタルコンテンツの配信にかかる利用料金を携帯電話機１のユーザに対して課金するための課金情報を利用料金情報に基づいて生成し、課金情報記憶部９４に記憶する（Ｓ２０６）。
【００４４】
記憶後、制御部９２は、受信したデジタルコンテンツをコンテンツ変換サーバ８に対し、通信部９１を介して送信する（Ｓ２０７）。コンテンツ変換サーバ８でデジタルコンテンツの変換が行われると、制御部９２は、変換後のデジタルコンテンツをコンテンツ変換サーバ８から通信部９１を介して受信する（Ｓ２０８）。制御部９２は、受信した変換後のデジタルコンテンツのＩＤに対応する、Ｓ２０６で保持した著作権管理情報をＲＡＭ９３から取得し、取得した著作権管理情報を、変換後のデジタルコンテンツのヘッダに付加する（Ｓ２０９）。その後、制御部９２は、著作権管理情報を付加した変換後のデジタルコンテンツを携帯電話機１に対し、通信部９１を介して送信する（Ｓ２１０）。
【００４５】
図３は、本発明の実施形態を説明するためのデジタルコンテンツ配信システムにおいて、デジタルコンテンツを添付した電子メールが携帯電話機１から携帯電話機２に送信される場合の動作フローを示す図である。
著作権管理装置９の制御部９２は、通信部９１を介して電子メールサーバ４から電子メールを受信し、電子メールに添付されたデジタルコンテンツを受信すると（Ｓ３０１）、そのデジタルコンテンツのヘッダに著作権管理情報が付加されているか否かを判定する（Ｓ３０２）。デジタルコンテンツのヘッダに著作権管理情報が付加されていた場合（Ｓ３０２：ＹＥＳ）、制御部９２はＳ３０３に処理を移行する。デジタルコンテンツのヘッダに著作権管理情報が付加されていなかった場合（Ｓ３０２：ＮＯ）、制御部９２はＳ３２０に処理を移行する。
【００４６】
Ｓ３２０では、受信したデジタルコンテンツと、端末情報ＤＢ９６に登録されている携帯電話機２の機種情報とに基づき、受信したデジタルコンテンツの携帯電話機２に対応した形式への変換が必要か否かを判定する。制御部９２は、受信したデジタルコンテンツの形式と、携帯電話機２で再生可能なデジタルコンテンツの形式とが一致しており、変換が不要であると判定した場合（Ｓ３２０：ＮＯ）、受信した電子メールを携帯電話機２に対し、通信部９１を介して送信する（Ｓ３２４）。制御部９２は、受信したデジタルコンテンツの形式と、携帯電話機２で再生可能なデジタルコンテンツの形式とが一致しておらず、変換が必要であると判定した場合（Ｓ３２０：ＹＥＳ）、受信したデジタルコンテンツをコンテンツ変換サーバ８に対し、通信部９１を介して送信する（Ｓ３２１）。コンテンツ変換サーバ８でデジタルコンテンツの変換が行われると、制御部９２は、変換後のデジタルコンテンツをコンテンツ変換サーバ８から通信部９１を介して受信する（Ｓ３２２）。制御部９２は、受信した変換後のデジタルコンテンツを添付した電子メールを携帯電話機２に対し、通信部９１を介して送信する（Ｓ３２３）。
【００４７】
Ｓ３０３では、制御部９２が、著作権管理情報に含まれる転送制限情報を参照して、受信したデジタルコンテンツが転送可能か否かを判定する。転送制限情報に転送が不可であることを示す転送可否情報が含まれており、転送可能でなかった場合（Ｓ３０３：ＮＯ）、制御部９２は、電子メールの携帯電話機２への送信を拒否し（Ｓ３１５）、処理を終了する。転送可能であった場合、制御部９２は、Ｓ３０４に処理を移行する。
【００４８】
Ｓ３０４では、制御部９２が、著作権管理情報に転送可能回数指定情報が含まれるか否かを判定する。転送可能回数指定情報が含まれていた場合（Ｓ３０４：ＹＥＳ）、制御部９２は、転送可能指定回数が０であるか否かを判定し（Ｓ３０５）、転送可能指定回数が０であった場合には（Ｓ３０５：ＹＥＳ）、Ｓ３１５に処理を移行する。転送可能指定回数が１以上であった場合（Ｓ３０５：ＮＯ）、制御部９２は、ヘッダに付加されている著作権管理情報を抽出して転送可能回数指定情報の転送可能指定回数を１減少して転送可能回数指定情報を更新し（Ｓ３０６）、更新後の著作権管理情報をヘッダに付加してＳ３０７に処理を移行する。
【００４９】
Ｓ３０７では、制御部９２が、受信したデジタルコンテンツと、端末情報ＤＢ９６に登録されている携帯電話機２の機種情報とに基づき、受信したデジタルコンテンツの携帯電話機２に対応した形式への変換が必要か否かを判定する。制御部９２は、受信したデジタルコンテンツの形式と、携帯電話機２で再生可能なデジタルコンテンツの形式とが一致しており、変換が不要であると判定した場合（Ｓ３０７：ＮＯ）、受信したデジタルコンテンツのヘッダから著作権管理情報を抽出し（Ｓ３１６）、抽出した著作権管理情報に利用料金情報が含まれているか否かを判定する（Ｓ３１７）。利用料金情報が含まれていた場合（Ｓ３１７：ＹＥＳ）、制御部９２は、デジタルコンテンツの転送にかかる利用料金を携帯電話機１のユーザに対して課金するための課金情報を利用料金情報に基づいて生成し、課金情報記憶部９４に記憶する（Ｓ３１８）。記憶後、制御部９２は、Ｓ３０１で受信した電子メールを携帯電話機１に対し、通信部９１を介して送信する（Ｓ３１９）。
【００５０】
Ｓ３０７の判定において、制御部９２は、受信したデジタルコンテンツの形式と、携帯電話機２で再生可能なデジタルコンテンツの形式とが一致しておらず、変換が必要であると判定した場合（Ｓ３０７：ＹＥＳ）、デジタルコンテンツのヘッダから著作権管理情報を抽出してＲＡＭ９３に一時的に記憶し、著作権管理情報を保持する（Ｓ３０８）。このとき制御部９２は、保持した著作権管理情報と、その著作権管理情報が付加されていたデジタルコンテンツとの対応がとれるようにしておく。例えば、デジタルコンテンツの名称等のＩＤと著作権管理情報とを対応付けて保持しておく。制御部９２は、保持した著作権管理情報に利用料金情報が含まれているか否かを判定する（Ｓ３０９）。利用料金情報が含まれていた場合（Ｓ３０９：ＹＥＳ）、制御部９２は、デジタルコンテンツの転送にかかる利用料金を携帯電話機１のユーザに対して課金するための課金情報を利用料金情報に基づいて生成し、課金情報記憶部９４に記憶する（Ｓ３１０）。
【００５１】
記憶後、制御部９２は、受信したデジタルコンテンツをコンテンツ変換サーバ８に対し、通信部９１を介して送信する（Ｓ３１１）。コンテンツ変換サーバ８でデジタルコンテンツの変換が行われると、制御部９２は、変換後のデジタルコンテンツをコンテンツ変換サーバ８から通信部９１を介して受信する（Ｓ３１２）。制御部９２は、受信した変換後のデジタルコンテンツのＩＤに対応する、Ｓ３０８で保持した著作権管理情報をＲＡＭ９３から取得し、取得した著作権管理情報を、変換後のデジタルコンテンツのヘッダに付加する（Ｓ３１３）。その後、制御部９２は、著作権管理情報を付加した変換後のデジタルコンテンツを、Ｓ３０１で受信した電子メールに添付し、その電子メールを携帯電話機２に対し、通信部９１を介して送信する（Ｓ３１４）。
【００５２】
このように、デジタルコンテンツ配信システム１００では、送信先に送信されるデジタルコンテンツの形式等の変換が必要な場合、デジタルコンテンツのヘッダに付加されている著作権管理情報が一旦保持され、変換後のデジタルコンテンツのヘッダに、保持された著作権管理情報が付加されて、送信先に送信される。このため、従来のように、デジタルコンテンツの変換により著作権管理情報が破棄されてしまい、著作権管理情報が付加されない状態で送信先に送信されてしまうといった不具合をなくすことができる。したがって、デジタルコンテンツを送信先に応じて変換した場合でも、そのデジタルコンテンツの著作権管理を継続して行うことができる。
【００５３】
又、本実施形態によれば、著作権管理装置９が、著作権管理情報に含まれる転送制限情報（転送可否情報及び転送回数指定情報）に基づいて、デジタルコンテンツの転送を拒否するため、デジタルコンテンツの転送制限を行うことができる。又、デジタルコンテンツの転送を拒否した場合には、そのデジタルコンテンツの著作権管理や変換処理等を行う必要がなくなるため、デジタルコンテンツ配信システム１００全体の処理効率を向上させることができる。
【００５４】
又、本実施形態によれば、著作権管理情報に利用料金情報が含まれている場合には、その利用料金情報に基づいて、デジタルコンテンツの利用料金を、その利用者に課金するための課金情報を生成することができるため、デジタルコンテンツの配信時だけでなく、転送時にも利用料金を徴収することが可能となる。
【００５５】
尚、上記では、図２のＳ２０９及び図３のＳ３１３において、制御部９２が、変換後のデジタルコンテンツのヘッダに著作権管理情報を付加する方法をとっているが、ここではデジタルコンテンツと著作権管理情報とを一体化することができれば良いため、例えば、デジタルコンテンツのデータ本体に著作権管理情報を電子透かし技術により埋め込む方法であっても良い。
【００５６】
又、本実施形態においては、コンテンツ変換サーバ８の機能を著作権管理装置９が有する構成であっても良い。
【図面の簡単な説明】
【００５７】
【図１】本発明の実施形態を説明するためのデジタルコンテンツ配信システムの概略構成を示す図
【図２】本発明の実施形態を説明するためのデジタルコンテンツ配信システムにおいて、コンテンツ配信装置からデジタルコンテンツが携帯電話機に配信される場合の動作フローを示す図
【図３】本発明の実施形態を説明するためのデジタルコンテンツ配信システムにおいて、デジタルコンテンツを添付した電子メールが転送される場合の動作フローを示す図
【符号の説明】
【００５８】
９  著作権管理装置
９１  通信部
９２  制御部
９３  ＲＡＭ
８  コンテンツ変換サーバ
【図１】
2005222381.tif 000003
【図２】
2005222381.tif 000004
【図３】
2005222381.tif 000005